(57)【要約】【課題】祭壇の設定に時間を要せずに、宗教関連物と表示部とが確実に見える遺影表示システムを提供することである。【解決手段】故人に関する画像を表示する液晶表示器１６（表示部）を備えた遺影表示システム１０は、宗旨や宗派等に関連する宗教関連物（例えば本尊等を表した掛け軸１４）を液晶表示器１６よりも上方に掲げる掲示機構１２と、液晶表示器１６および掲示機構１２を支える支持台１８とを有する。掲示機構１２は宗教関連物を液晶表示器１６よりも上方に掲げるので、宗教関連物が液晶表示器１６に隠れるのを防止できる。また、宗教関連物を掲示機構１２に据え付けるだけでよいので、祭壇の設定に時間を要しない。【選択図】図１
2009240352.tif 000002
【特許請求の範囲】
【請求項１】
故人に関する画像を表示する表示部を備えた遺影表示システムであって、
宗旨や宗派等に関連する宗教関連物を前記表示部よりも上方に掲げる掲示機構と、
前記表示部および前記掲示機構を支える支持台とを有する遺影表示システム。
【請求項２】
請求項１に記載した遺影表示システムであって、
掲示機構は、宗教関連物の上下位置を調整する調整機構を有する遺影表示システム。
【請求項３】
請求項１または２に記載した遺影表示システムであって、
掲示機構は、宗教関連物を吊り下げるフックを備えた部材と、前記宗教関連物を載せる置き台を備えた部材とを交換して取り付け可能な取付部を有する遺影表示システム。
【発明の詳細な説明】
【技術分野】
【０００１】
本発明は、故人に関する画像を表示する表示部を備えた遺影表示システムに関する。
【背景技術】
【０００２】
従来では、故人に関する画像（映像を含む。以下同じ。）を表示するにあたって、例えば祭壇に設置したスクリーンにスライド映写装置やビデオ映写装置を用いて映写する技術や（例えば特許文献１を参照）、載置台に置かれたディスプレイ（表示器）に表示する技術が開示されている（例えば特許文献２を参照）。この場合、後方の参列者にも故人を見え易くするには、スクリーンやディスプレイ等の表示部を大型化するのが望ましい。
【特許文献１】特開平１０−２４３８７１号公報
【特許文献２】特開２００１−２２４４８８号公報
【発明の開示】
【発明が解決しようとする課題】
【０００３】
しかし、表示部の大型化に伴って祭壇を大きくするのは困難なため、表示部の大きさによっては故人にかかる宗旨や宗派等に関連する宗教関連物（例えば浄土宗の本尊である阿弥陀如来の像や絵等）が隠れてしまう場合がある。
ところで、表示部に故人の遺影を表示する場合には、その遺影の上方に宗教関連物を掲揚するのが一般的である。よって宗教関連物が表示部に隠れてしまわないようにするには、祭壇上の配置を変えたり、適切な高さの置き台を探して宗教関連物を置く等の調整を行う必要があり、据え付けに時間を要してしまう。
【０００４】
本発明はこのような点に鑑みてなしたものであり、祭壇の設定に時間を要せずに、宗教関連物と表示部とが確実に見える遺影表示システムを提供することを目的とする。
【課題を解決するための手段】
【０００５】
（１）課題を解決するための手段（以下では単に「解決手段」と呼ぶ。）１は、故人に関する画像を表示する表示部を備えた遺影表示システムであって、宗旨や宗派等に関連する宗教関連物を前記表示部よりも上方に掲げる掲示機構と、前記表示部および前記掲示機構を支える支持台とを有することを要旨とする。
【０００６】
なお、「表示部」は故人に関する画像を表示できれば任意の部材や装置を適用することができる。例えば、表示器（例えば液晶表示器，有機ＥＬディスプレイ，ＦＥＤ｛Field Emission Display；電界放出ディスプレイ｝など）、スクリーン等が該当する。
「宗教関連物」は宗旨や宗派等に関連するものであれば任意であって、宗旨や宗派等に限定されない。例えば、本尊，御礼，その神棚（故人を祀る装置）そのもの等であってもよい。またキリスト教を例にすれば、十字架，キリスト像，聖マリア像等であってもよい。その他、各宗教や宗派等に特有な象徴的なものであってもよい。物理的な態様も任意であって、掛け軸であったり、仏壇や神棚であったり、その態様を問わない。
【０００７】
解決手段１によれば、掲示機構は宗教関連物を表示部よりも上方に掲げるので、宗教関連物が表示部に隠れるのを防止できる。また、宗教関連物を掲示機構に据え付けるだけでよいので、祭壇の設定に時間を要しない。
【０００８】
（２）解決手段２は、解決手段１に記載した遺影表示システムであって、掲示機構は、宗教関連物の上下位置を調整する調整機構を有することを要旨とする。
【０００９】
解決手段２によれば、調整機構によって宗教関連物の上下位置を調整するので、宗教関連物の大きさに合わせて適切な高さで掲げることができる。
【００１０】
（３）解決手段３は、解決手段１または２に記載した遺影表示システムであって、掲示機構は、宗教関連物を吊り下げるフックを備えた部材と、前記宗教関連物を載せる置き台を備えた部材とを交換して取り付け可能な取付部を有することを要旨とする。
【００１１】
解決手段３によれば、取付部にはフックを備えた部材と、置き台を備えた部材とを交換して取り付けることができる。フックを備えた部材には、例えば本尊の絵が描かれた掛け軸等の宗教関連物を吊り下げて掲げる。置き台を備えた部材には、例えば観音開きの仏壇等の宗教関連物を載せて掲げる。様々の態様をした宗教関連物であっても確実に掲げることができ、しかも掛けるか置くだけでよいので祭壇の設定に時間を要しない。
【発明の効果】
【００１２】
本発明によれば、祭壇の設定に時間を要することがなく、また宗教関連物と表示部とが確実に見えるように表示できる。
【発明を実施するための最良の形態】
【００１３】
本発明を実施するための最良の形態について、図面を参照しながら説明する。
【００１４】
〔実施の形態１〕
実施の形態１は宗教関連物（本尊の絵等が描かれた掛け軸）を吊り下げて掲げる例であって、図１〜図４を参照しながら説明する。図１には、遺影表示システムの構成例を斜視図で表す。同じく図２（Ａ）には正面図を表し、図２（Ｂ）には側面図を表す。図３（Ａ）にはフックを備えた掲示機構の一部を斜視図で表し、図３（Ｂ）には筒状部材を斜視図で表す。図４には、祭壇に遺影表示システムを据え付けた例を正面図で表す。
【００１５】
図１および図２に表す遺影表示システム１０は、掲示機構１２，液晶表示器１６，支持台１８などを有する。掲示機構１２は、宗旨や宗派等に関連する宗教関連物（図１の例では掛け軸１４）を液晶表示器１６よりも上方に掲げる。なお、掲示機構１２の構成例については後述する（図２，図３を参照）。
【００１６】
液晶表示器１６は「表示部」に相当し、故人に関する画像やその他の画像等を表示する。液晶表示器１６の画面に表示する内容は任意であって、例えば故人の遺影や故人の生前活動などが該当する。こうして表示する内容は、液晶表示器１６に備えた記録装置（例えばハードディスク装置等）や記録媒体（例えばメモリカードやＵＳＢメモリ等）などに予め記録したり、あるいは当該液晶表示器１６に電気的に接続される外部装置から転送する。外部装置は、例えばビデオ機器等のような映像記録装置や、コンピュータのメモリや記録装置などが該当する。支持台１８は液晶表示器１６および掲示機構１２を支える。
【００１７】
掲示機構１２は、図２（Ｂ）に表すように支持台１８に設けられる。本例の掲示機構１２は、フック１２ａ，長板部材１２ｂ，筒状部材１２ｃ，固定部材１２ｄなどを有する。フック１２ａは、宗教関連物としての掛け軸１４を吊り下げる部材である。このフック１２ａは、図３（Ａ）に表すように長板部材１２ｂの一端部付近に固定されている。長板部材１２ｂは、図３（Ｂ）に表すように筒状部材１２ｃに対して抜き差し自在に取り付けられ、かつ上下方向（矢印Ｄ２方向）の位置を調整して固定することができる。
【００１８】
筒状部材１２ｃは「取付部」に相当し、ちょうど長板部材１２ｂが入るだけの筒状空間を有する部材である。長板部材１２ｂを固定するのは固定部材１２ｄであって、例えばネジを備えた回転式ノブを用いる。本例では２個の固定部材１２ｄを備え、個別に筒状部材１２ｃに設けられたネジ穴を通じて長板部材１２ｂを押し付けることで固定を行う。固定部材１２ｄによる固定を解除した後は、長板部材１２ｂの上下位置を変えたり、他の長板部材と交換することができる。なお、長板部材１２ｂ，筒状部材１２ｃおよび固定部材１２ｄは「調整機構」に相当する。
【００１９】
上述のように構成された遺影表示システム１０を祭壇３０に据え付けた例を図４に表す。本例の祭壇３０は上段部材３４と下段部材３６とからなる二段構成であるが、飾り花や灯具等のように葬式に用いられる一般的な物品の図示は省略している。
【００２０】
上段部材３４の中央部には雛壇３２が設置され、下段部材３６の左右両側にはそれぞれ飾り台３８が設置されている。４段からなる雛壇３２のうち、上から３段目に遺影表示システム１０が据え付けられている。本尊等が表された掛け軸１４はフック１２ａに吊り下げられており、掲示機構１２によって液晶表示器１６の上方に位置するように調整される。液晶表示器１６を大型化した場合でも掛け軸１４が隠れることはなく、僧侶や参列者等は確実に掛け軸１４に表された本尊等を拝礼することができる。
【００２１】
上述した実施の形態１によれば、以下に表す各効果を得ることができる。
（ａ１）掲示機構１２は掛け軸１４を液晶表示器１６よりも上方に掲げるので（図４を参照）、掛け軸１４が液晶表示器１６に隠れるのを防止できる。また、掛け軸１４を掲示機構１２に吊り下げて据え付けるだけでよいので、祭壇３０の設定に時間を要しない。
（ａ２）長板部材１２ｂ，筒状部材１２ｃおよび固定部材１２ｄからなる調整機構によって、掛け軸１４の上下位置を調整するので、掛け軸１４の大きさ（長さ）に合わせて適切な高さで掲げることができる。
（ａ３）筒状部材１２ｃは筒状に形成したので（図３（Ｂ）を参照）、フック１２ａを備えた長板部材１２ｂと、他の長板部材１２ｂとを交換して取り付けることができる。様々の態様をした宗教関連物でも掲示機構１２によって確実に掲げることができ、しかも掛けるか置くだけでよいので祭壇３０の設定に時間を要しない。
【００２２】
〔実施の形態２〕
実施の形態２は宗教関連物（本尊の絵等が内側に描かれた仏壇）を載せて掲げる例であって、図５と図６を参照しながら説明する。なお、実施の形態１で用いた要素と同一の要素には同一の符号を付して説明を省略する。図５には、遺影表示システムの構成例を正面図および側面図で表す。図６には、置き台を備えた掲示機構の一部を斜視図で表す。
【００２３】
実施の形態２では、図５および図６に表す掲示機構１２を用いる。本例の掲示機構１２は、長板部材１２ｂ，筒状部材１２ｃ，固定部材１２ｄ，置き台１２ｅなどを有する。すなわち実施の形態１の図２および図３に表した掲示機構１２と比べると、置き台１２ｅを追加し、フック１２ａが無い。置き台１２ｅは、図６に表すように、長板部材１２ｂに対して２枚の支持板１２ｆ（三角板）によって固定している。置き台１２ｅの上面はほぼ水平になるので、図５に表すように宗教関連物としての仏壇２０を置くことができる。
【００２４】
実施の形態１において掛け軸１４を吊り下げる場合にはフック１２ａを備えた長板部材１２ｂを用いたが（図３（Ａ）を参照）、上述した置き台１２ｅを備えた長板部材１２ｂに交換するだけで仏壇２０を置くことができるようになる。
【００２５】
上述した実施の形態２によれば、以下に表す各効果を得ることができる。
（ｂ１）掲示機構１２は仏壇２０を液晶表示器１６よりも上方に掲げるので（図５を参照）、仏壇２０が液晶表示器１６に隠れるのを防止できる。また、仏壇２０を掲示機構１２の置き台１２ｅに置くだけでよいので、図４に表す祭壇３０の設定に時間を要しない。
（ｂ２）長板部材１２ｂ，筒状部材１２ｃおよび固定部材１２ｄからなる調整機構によって、仏壇２０の上下位置を調整するので、仏壇２０の大きさに合わせて適切な高さで掲げることができる。
（ｂ３）筒状部材１２ｃは筒状に形成したので（図３（Ｂ）を参照）、置き台１２ｅを備えた長板部材１２ｂと、他の長板部材１２ｂとを交換して取り付けることができる。様々の態様をした宗教関連物でも掲示機構１２によって確実に掲げることができ、しかも掛けるか置くだけでよいので祭壇３０の設定に時間を要しない。
【００２６】
〔他の実施の形態〕
以上では本発明を実施するための最良の形態について実施の形態１，２に従って説明したが、本発明は当該形態に何ら限定されるものではない。言い換えれば、本発明の要旨を逸脱しない範囲内において、種々なる形態で実施することもできる。例えば、次に表す各形態を実現してもよい。
【００２７】
（ｃ１）宗教関連物として、実施の形態１では本尊等が表された掛け軸１４を適用し（図２（Ａ）を参照）、実施の形態２では本尊の絵等が内側に描かれた仏壇２０を適用した（図５（Ａ）を参照）。この形態に代えて、宗旨や宗派等に関連する他の宗教関連物を適用してもよい。例えば御札，神棚，十字架，キリスト像，聖マリア像等が該当し、その態様を問わない。掲示機構１２は、吊り下げや置く態様のほかに、宗教関連物に合わせて貼付したり、額縁に入れたり、吸盤で吸い付ける等の構造としてもよい。いずれにせよ、掲示機構１２は宗教関連物を液晶表示器１６よりも上方に掲げるので、宗教関連物が液晶表示器１６に隠れるのを防止できる。また、宗教関連物を掲示機構１２に吊り下げる等によって据え付けるだけでよいので、祭壇３０の設定に時間を要しない。
【００２８】
（ｃ２）実施の形態１，２では、表示部として液晶表示器１６を適用した（図１等を参照）。この形態に代えて、少なくとも遺影を含む故人に関する画像を表示可能な他の表示部を適用してもよい。他の表示部としては、例えば液晶表示器１６以外の表示器（例えば有機ＥＬディスプレイ，ＦＥＤ，ＣＲＴなど）や、スクリーン等が該当する。スクリーンの場合には、プロジェクタや映写機によって表示すればよい。いずれの表示部にせよ、故人に関する画像を表示することができ、大型化しても宗教関連物が隠れることはない。
【００２９】
（ｃ３）実施の形態１，２では、液晶表示器１６は画面が縦長タイプを用いた（図１等を参照）。この形態に代えて、横長タイプを用いたり、縦長状態と横長状態を切り換え可能なタイプを用いてもよい。切り換え可能なタイプは、画面に表示する内容に応じて縦長状態と横長状態を切り換えるのが望ましい。いずれのタイプにせよ、少なくとも故人に関する画像を表示することができる。
【００３０】
（ｃ４）実施の形態１，２では、掲示機構１２は長板部材１２ｂを固定するに当たって２個の固定部材１２ｄを備えた（図３を参照）。この形態に代えて、１個の固定部材１２ｄを備えてもよく、３個以上の固定部材１２ｄを備えてもよい。宗教関連物の大きさや重さに応じて適切な個数の固定部材１２ｄを備えることにより、確実に宗教関連物を支持し、液晶表示器１６の上方に掲げることができる。
【００３１】
（ｃ５）実施の形態１，２では、宗教関連物の上下位置を調整するために、長板部材１２ｂに固定部材１２ｄを押し付けて固定する構成とした（図３を参照）。この形態に代えて、宗教関連物の上下位置を調整可能な他の構成としてもよい。
例えば第１に、長板部材１２ｂにラックを設け、このラックと噛み合うピニオンを固定部材１２ｄに設ける構成としてもよい。この構成によれば、固定部材１２ｄを回転させるだけで簡単に宗教関連物の上下位置を調整することができる。さらに固定部材１２ｄに代えてモータの回転軸にピニオンを固定した場合には、コンピュータ等からモータの回転制御を行うことで宗教関連物の上下位置を調整することができる。
第２に、長板部材１２ｂに貫通穴や窪み等を複数個設け、これらの穴や窪み等に差し込める形状（例えばピン形状等）に固定部材１２ｄを形成する構成としてもよい。この構成によれば、固定部材１２ｄを穴や窪み等に差し込むだけでよくなるので、力を要することなく簡単かつ素早く上下位置の調整が行える。
【図面の簡単な説明】
【００３２】
【図１】遺影表示システムの構成例を表す斜視図である。
【図２】遺影表示システムの構成例を表す正面図および側面図である。
【図３】掲示機構の構成要素を説明する図である。
【図４】祭壇に遺影表示システムを据え付けた例を表す正面図である。
【図５】遺影表示システムの構成例を表す正面図および側面図である。
【図６】掲示機構の構成要素を説明する図である。
【符号の説明】
【００３３】
１０  遺影表示システム
１２  掲示機構
１２ａ  フック
１２ｂ  長板部材
１２ｃ  筒状部材
１２ｄ  固定部材
１２ｅ  置き台
１２ｆ  支持板
１４  掛け軸（宗教関連物）
１６  表示部
１８  支持台
２０  仏壇（宗教関連物）
３０  祭壇
【図１】
2009240352.tif 000003
【図２】
2009240352.tif 000004
【図３】
2009240352.tif 000005
【図４】
2009240352.tif 000006
【図５】
2009240352.tif 000007
【図６】
2009240352.tif 000008